(57)【要約】【課題】特殊な監視装置を不要とし、これにより構成の簡単小型化及び低価格化を図るとともに、ストリームの異常を迅速に検出し得るストリーム生成装置を提供する。【解決手段】多重部１３の後段側にＰＩＤ検出部１５及び出力監視部１６を設けるようにし、ＰＩＤ検出部１５により指定ＰＩＤを利用してＴＳが正常であるか否かを検出し、出力監視部１６にてＴＳ中の一定期間内の指定ＰＩＤのＴＳパケットの総数によりＴＳが正常であるか否かを判定し、この判定結果情報を外部に通知するようにしている。【選択図】      図１
2007235837.tif 000002
【特許請求の範囲】
【請求項１】
一定のデータ長の複数の伝送パケットを配列し、かつ該伝送パケットごとにパケットＩＤを付加したＴＳ（Transport Stream）を生成するストリーム生成装置において、
前記ＴＳを入力し、指定されたパケットＩＤに対応する伝送パケットが前記ＴＳに含まれているか否かを検出する検出手段と、
この検出手段による検出結果情報を外部に通知する通知制御手段とを具備したことを特徴とするストリーム生成装置。
【請求項２】
前記通知制御手段は、前記検出手段による検出結果に基づいて、前記ＴＳ中の所定期間内の指定された伝送パケットの数が基準数以上あるか否かを判定し、この判定結果を外部に通知することを特徴とする請求項１記載のストリーム生成装置。
【請求項３】
前記通知制御手段は、前記ＴＳの伝送パケットのうち、映像パケット、音声パケット、ＰＡＴ（Program Association Table）パケット、ＰＭＴ（Program Map Table）パケット、ＰＣＲ（Program Clock Reference）パケット及びデータパケットのそれぞれについての検出結果情報を外部に通知することを特徴とする請求項１記載のストリーム生成装置。
【請求項４】
前記通知制御手段は、前記検出手段の検出結果から、前記ＴＳの伝送パケットのうち、映像パケット、音声パケット、ＰＡＴ（Program Association Table）パケット、ＰＭＴ（Program Map Table）パケット、ＰＣＲ（Program Clock Reference）パケット及びデータパケットのそれぞれについて基準数以上あるか否かを判定することを特徴とする請求項２記載のストリーム生成装置。
【発明の詳細な説明】
【技術分野】
【０００１】
この発明は、例えばＭＰＥＧ２（Moving Picture Experts Group 2）により、番組で使用する映像、音声のそれぞれのＴＳ（Transport Stream）パケットを多重してＴＳを生成するストリーム生成装置に関する。
【背景技術】
【０００２】
近年、地上波放送システムにおいては、デジタル放送が開始されている。このようなデジタル放送では、ＭＰＥＧ２により、番組で使用するビデオ、オーディオのそれぞれのＴＳデータを予め決められたパターンで多重伝送し、受信側で各ＴＳデータを復調し、適宜タイミングを合わせて合成再生することで、放送番組を視聴可能としている。
【０００３】
ところで、ＴＳを生成する符号化装置にあっては、ＴＳが正しく送出されたか否かを監視する機能が提案されている（例えば、特許文献１）。
【特許文献１】特開２００１−８２３９号公報。
【発明の開示】
【発明が解決しようとする課題】
【０００４】
しかし、上記監視機能を備える符号化装置では、例えば専用の接続ユニットを介してモニタを接続している。このため、符号化装置の構成が極めて大形で高価なものになってしまう欠点がある。
【０００５】
そこで、この発明の目的は、特殊な監視装置を不要とし、これにより構成の簡単小型化及び低価格化を図るとともに、ストリームの異常を迅速に検出し得るストリーム生成装置を提供することにある。
【課題を解決するための手段】
【０００６】
この発明は、上記目的を達成するために以下のように構成される。  
一定のデータ長の複数の伝送パケットを配列し、かつ該伝送パケットごとにパケットＩＤを付加したＴＳ（Transport Stream）を生成するストリーム生成装置において、ＴＳを入力し、指定されたパケットＩＤに対応する伝送パケットがＴＳに含まれているか否かを検出する検出手段と、この検出手段による検出結果情報を外部に通知する通知制御手段とを備えるようにしたものである。
【０００７】
この構成によれば、パケットＩＤを利用することで生成されたＴＳが正常であるか否かが検出され、この検出結果情報が外部に通知されることになる。従って、外部に特殊な監視装置を追加する必要がなくなり、これにより符号化装置の構成の大形化及びコストアップを防止することができ、ＴＳの異常を外部で検出するより迅速に発見できる。
【０００８】
また、通知制御手段は、検出手段による検出結果に基づいて、ＴＳ中の所定期間内の指定された伝送パケットの数が基準数以上あるか否かを判定し、この判定結果を外部に通知するようにしている。
【０００９】
この構成によれば、ＴＳ中の所定期間内の指定された伝送パケットの総数によりＴＳが正常であるか否かを判定するようにしている。従って、ＴＳの正常判断を高精度に行うことができる。
【００１０】
通知制御手段は、ＴＳの伝送パケットのうち、映像パケット、音声パケット、ＰＡＴ（Program Association Table）パケット、ＰＭＴ（Program Map Table）パケット、ＰＣＲ（Program Clock Reference）パケット及びデータパケットのそれぞれについての検出結果情報を外部に通知するようにしている。
【００１１】
この構成によれば、パケットの種類ごとにパケットＩＤを利用してＴＳが正常であるか否かが検出され、この検出結果情報が外部に通知されることになる。従って、ＴＳの正常判断を極めて高精度に行うことができる。
【発明の効果】
【００１２】
以上詳述したようにこの発明によれば、特殊な監視装置を不要とし、これにより構成の簡単小型化及び低価格化を図るとともに、ストリームの異常を迅速に検出し得るストリーム生成装置を提供することができる。
【発明を実施するための最良の形態】
【００１３】
以下、この発明の実施形態について図面を参照して詳細に説明する。  
図１は、この発明に係わるストリーム生成装置としての映像・音声符号化装置の一実施形態を示すブロック図である。
【００１４】
図１において、符号１は映像・音声符号化装置で、映像符号化部１１と、音声符号化部１２と、多重部１３と、制御部１４と、ＰＩＤ検出部１５と、出力監視部１６とを備えている。
【００１５】
映像符号化部１１は、映像信号を取り込んでＭＰＥＧ２（Moving Picture Experts Group 2）の規定に従って符号化し、その符号化データを多重部１３に出力する。また、音声符号化部１２は、音声信号を取り込んで符号化し、その符号化データを多重部１３に出力する。
【００１６】
多重部１３では、制御部１４による制御の下、映像符号化部１１及び音声符号化部１２それぞれの出力に、ＰＡＴ（Program Association Table）パケット、ＰＭＴ（Program Map Table）パケット、ＰＣＲ（Program Clock Reference）パケット及びその他のデータパケットを多重することによりＴＳを生成する。
【００１７】
制御部１４は、各部の制御を行うとともに、外部から送られるＰＩＤ指定情報をＰＩＤ検出部１５及び出力監視部１６に通知する。
【００１８】
ＰＩＤ検出部１５は、多重部１３から出力されるＴＳを入力し、外部より指定されたＰＩＤ（Packet ID）に対応するＴＳパケットがＴＳに含まれているか否かを検出する。出力監視部１６は、ある一定期間に一致したＰＩＤが存在したか否か、または一定期間のＰＩＤの検出数等を算出し、外部に通知する。
【００１９】
次に、上記構成において、以下にその処理動作を説明する。  
まず、映像・音声符号化装置１では、図２に示すＴＳを生成する。図２において、ＰＩＤ＝００ＸＸは映像パケット、ＰＩＤ＝００ＸＹは音声パケット、ＰＩＤ＝００ＹＺはその他のデータパケットであることを示している。
【００２０】
ここで、映像・音声符号化装置１では、多重部１３にて生成されたＴＳをＰＩＤ検出部１５に入力し、指定されたＰＩＤに対応するＴＳパケットの有無を検出する。この検出結果は出力監視部１６に通知される。
【００２１】
出力監視部１６では、例えば１映像期間内（３３．３ｍＳ）の映像パケット、音声パケット、その他のデータパケットそれぞれの指定ＰＩＤのパケット数を算出する。そして、この算出した映像パケット、音声パケット、その他のデータパケット別のパケット数が予め決められた基準数以上であるか否かを判定し、この判定結果を外部に通知する。さらに、ＰＭＴパケット、ＰＡＴパケット、ＰＣＲパケットについても予め決められた基準数以上であるか否かを判定し、この判定結果を外部に通知する。
【００２２】
以上のように上記実施形態では、ＰＩＤ検出部１５により指定ＰＩＤを利用してＴＳが正常であるか否かを検出し、出力監視部１６にてＴＳ中の一定期間内の指定ＰＩＤのＴＳパケットの総数によりＴＳが正常であるか否かを判定し、この判定結果情報を外部に通知するようにしている。
【００２３】
従って、外部に特殊な監視装置を追加する必要がなくなり、これにより映像・音声符号化装置１の構成の大形化及びコストアップを防止することができ、ＴＳの異常を外部で検出するより迅速に発見できる。また、ＴＳ中の一定期間内の指定ＰＩＤのＴＳパケットの総数によりＴＳが正常であるか否かを判定するようにしているので、ＴＳの正常判断を高精度に行うことができる。
【００２４】
なお、上記実施形態では、一定期間内の指定ＰＩＤの検出数が基準数以上であるか否かを判定することによりＴＳの異常検出を行なう例について説明したが、指定ＰＩＤの検出の有無を外部に通知するようにしてもよい。この場合、例えばＴＳ中にＰＭＴ、ＰＡＴ、ＰＣＲが含まれているか否かを検出することでＴＳの異常判断を行うことが考えられる。
【００２５】
また、この他にも、映像・音声符号化装置の構成や、ＭＰＥＧ２符号化方式以外で規定されるストリームを生成する場合、ＴＳの異常判定方法等についても、この発明の要旨を逸脱しない範囲で種々変形して実施できる。
【図面の簡単な説明】
【００２６】
【図１】この発明に係わるストリーム生成装置としての映像・音声符号化装置の一実施形態を示すブロック図。
【図２】同実施形態で生成されるＴＳの構造を示す図。
【符号の説明】
【００２７】
１…映像・音声符号化装置、１１…映像符号化部、１２…音声符号化部、１３…多重部、１４…制御部、１５…ＰＩＤ検出部、１６…出力監視部。
【図１】
2007235837.tif 000003
【図２】
2007235837.tif 000004